(57)【要約】【課題】画像データに係る処理の履歴情報を残すことができ、処理対象の画像に履歴情報を表して外部出力することができる画像処理装置を提供する。【解決手段】画像データを取得し、取得した画像データを送信し又は取得した画像データに基づいて画像をシートに印刷する画像処理装置に、画像データに係る取得、送信又は印刷の処理を実行した場合、該画像データに係る取得、送信又は印刷の履歴を示す履歴情報を記憶する履歴情報記憶手段と、前記画像データの画像に、前記履歴情報記憶手段にて記憶した履歴情報を表した画像データを生成する生成手段とを備え、該生成手段が生成した画像データに基づいて画像をシートに印刷し、表示し、又は該画像データを送信するように構成する。【選択図】図１
2007306141.tif 000002
【特許請求の範囲】
【請求項１】
画像データを取得し、取得した画像データを送信し又は取得した画像データに基づいて画像をシートに形成する画像処理装置において、
取得、送信又は形成の処理を実行した場合、画像データに係る処理の履歴を示す履歴情報を記憶する履歴情報記憶手段と、
記憶した履歴情報を前記画像データに係る画像に表した画像データを生成する生成手段と、
該生成手段が生成した画像データを送信し、該画像データに基づいて画像をシートに形成し又は表示する手段と
を備えることを特徴とする画像処理装置。
【請求項２】
前記履歴情報は、
画像データに係る取得、送信又は形成の処理内容を含む
ことを特徴とする請求項１に記載の画像処理装置。
【請求項３】
履歴情報の要否を受け付ける受付手段を備え、
前記生成手段は、
前記受付手段が履歴情報を要することを受け付けた場合、履歴情報を表した画像データを生成するようにしてある
ことを特徴とする請求項１又は請求項２に記載の画像処理装置。
【請求項４】
前記受付手段は、
画像データの送信又は画像の形成若しくは表示の各処理における履歴情報の要否を夫々受け付けるようにしてある
ことを特徴とする請求項３に記載の画像処理装置。
【請求項５】
画像データを複数回送信し又は画像を複数回形成した場合、各回の送信又は形成の履歴を示す履歴情報を記憶するようにしてある
ことを特徴とする請求項１乃至請求項４のいずれか一つに記載の画像処理装置。
【請求項６】
画像データを複数回送信し又は画像を複数回形成した場合、最終回の送信又は形成の履歴を示す履歴情報を記憶するようにしてある
ことを特徴とする請求項１乃至請求項４のいずれか一つに記載の画像処理装置。
【発明の詳細な説明】
【技術分野】
【０００１】
本発明は、画像データを取得し、取得した画像データを送信し又は取得した画像データに基づいて画像をシートに形成する画像処理装置に関する。
【背景技術】
【０００２】
従来の画像処理装置、例えばファクシミリ装置は、原稿で反射された光源からの反射光をラインＣＣＤで光電変換することによって原稿を読み取り、原稿の画像データをファクシミリ通信にて送信する。
また、読み終えた各原稿に通し番号を印字し、送信処理終了後、各原稿の送信結果と、印字した通し番号とを対応付けた送信履歴表を印刷するように構成した画像処理装置が提案されている（例えば、特許文献１）。
【０００３】
一方、外部のパーソナルコンピュータ、記憶装置等から取得した画像データをファクシミリ通信にて直接送信する機能を備えた画像処理装置が提案されている。
【特許文献１】特開平４−１７６２５５号公報
【発明の開示】
【発明が解決しようとする課題】
【０００４】
特許文献１に係る画像処理装置においては、紙媒体の原稿をファクシミリ送信する場合、原稿に通し番号を印字することでファクシミリ送信の履歴情報を残すことが可能であるが、紙媒体を介さずに画像データを直接送信する場合、履歴情報を残すことができないという問題があった。
同様に、画像データに基づいて画像を直接印刷する場合も、印刷の履歴情報を残すことができないという問題があった。
【０００５】
また、原稿の読み取り又は記憶装置からの読み出しによって画像データを取得した場合、画像データに取得の履歴情報を残すことができないという問題があった。
【０００６】
本発明は、斯かる事情に鑑みてなされたものであり、画像データに係る処理の履歴を示す履歴情報を記憶しておき、必要に応じて、前記処理の対象である画像に履歴情報を表した画像データを送信し、履歴情報を表した処理対象の画像をシートに形成し又は表示するように構成することにより、画像データに係る処理の履歴情報を残すことができ、処理対象の画像に履歴情報を表して外部出力することができる画像処理装置を提供することを目的とする。
【０００７】
本発明の他の目的は、画像データに係る取得、送信又は形成の処理内容を履歴情報に含ませることにより、処理内容を履歴として残すことができ、処理対象の画像に処理内容を含む履歴情報を表して外部出力することができる画像処理装置を提供することにある。
【０００８】
本発明の他の目的は、履歴情報の要否を受け付ける受付手段を備え、該受付手段が履歴情報を要することを受け付けた場合、処理対象の画像に履歴情報を表して外部出力するように構成することにより、必要に応じて処理対象の画像に履歴情報を表し又は履歴情報を隠して外部出力することができる画像処理装置を提供することにある。
【０００９】
本発明の他の目的は、画像データの送信、画像の形成又は表示の各処理における履歴情報の要否を夫々受け付けるように構成することにより、外部出力方法に応じて処理対象の画像に履歴情報を表し又は履歴情報を隠して外部出力することができる画像処理装置を提供することにある。
【００１０】
本発明の他の目的は、画像データを複数回送信し又は画像を複数回形成した場合、各回の送信又は形成の履歴を示す履歴情報を記憶するように構成することにより、各回の送信又は形成の履歴情報を残すことができ、処理対象の画像に各回の処理の履歴を示す履歴情報を表して外部出力することができる画像処理装置を提供することにある。
【００１１】
本発明の他の目的は、画像データを複数回送信し又は画像を複数回形成した場合、最終回の送信又は形成の履歴を示す履歴情報を記憶するように構成することにより、最終回の送信又は形成の履歴情報を残すことができ、処理対象の画像に最終回の処理の履歴を示す履歴情報を表して外部出力することができる画像処理装置を提供することにある。
【課題を解決するための手段】
【００１２】
本発明に係る画像処理装置は、画像データを取得し、取得した画像データを送信し又は取得した画像データに基づいて画像をシートに形成する画像処理装置において、取得、送信又は形成の処理を実行した場合、画像データに係る処理の履歴を示す履歴情報を記憶する履歴情報記憶手段と、記憶した履歴情報を前記画像データに係る画像に表した画像データを生成する生成手段と、該生成手段が生成した画像データを送信し、該画像データに基づいて画像をシートに形成し又は表示する手段とを備えることを特徴とする。
【００１３】
本発明にあっては、履歴情報記憶手段は、画像データに係る取得、送信又は形成の処理が実行された場合、処理の履歴を示す履歴情報を記憶する。例えば、原稿を読み取り、外部の記憶装置から読み出すことで画像データを取得した場合、ファクシミリ通信、電子メールにて画像データを送信した場合、シートに画像を形成した場合、画像データに係る処理の履歴を示す履歴情報を記憶する。
生成手段は、前記処理の対象である画像に、記憶した履歴情報を表した画像データを生成する。そして、画像処理装置は、生成された画像データを送信する。同様に、生成された画像データに基づいて画像をシートに形成し、又は表示する。
なお、履歴情報記憶手段は、半導体メモリ、ハードディスク等の記憶媒体を備えず、外部の記憶媒体に履歴情報を記憶させる処理を行う構成も含む。
【００１４】
本発明に係る画像処理装置は、前記履歴情報が、画像データに係る取得、送信又は形成の処理内容を含むことを特徴とする。
【００１５】
本発明にあっては、画像データに係る取得、送信又は形成の処理内容を含む履歴情報が処理対象の画像に表されて外部出力される。
【００１６】
本発明に係る画像処理装置は、履歴情報の要否を受け付ける受付手段を備え、前記生成手段は、前記受付手段が履歴情報を要することを受け付けた場合、履歴情報を表した画像データを生成するようにしてあることを特徴とする。
【００１７】
本発明にあっては、受付手段が履歴情報の要否を受け付け、受付手段が履歴情報を要することを受け付けた場合、生成手段は処理対象の画像に履歴情報を表した画像データを生成する。そして、履歴情報が表された処理対象の画像が外部出力される。履歴情報が不要であることを受付手段が受け付けた場合、生成手段は履歴情報を隠して処理対象の画像を外部出力する。
【００１８】
本発明に係る画像処理装置は、前記受付手段が、画像データの送信又は画像の形成若しくは表示の各処理における履歴情報の要否を夫々受け付けるようにしてあることを特徴とする。
【００１９】
本発明にあっては、受付手段は、画像データに係る送信、形成又は表示の各処理における履歴情報の要否を受け付ける。
従って、外部出力方法に応じて、履歴情報を表し又は履歴情報を隠して、処理対象の画像を外部出力する。
【００２０】
本発明に係る画像処理装置は、画像データを複数回送信し又は画像を複数回形成した場合、各回の送信又は形成の履歴を示す履歴情報を記憶するようにしてあることを特徴とする。
【００２１】
本発明にあっては、画像データに対して複数回の送信又は形成の処理が実行された場合、各回の処理の履歴を示す履歴情報が記憶される。
従って、処理対象の画像に各回の処理の履歴を示す履歴情報を表して外部出力することができる。
【００２２】
本発明に係る画像処理装置は、画像データを複数回送信し又は画像を複数回形成した場合、最終回の送信又は形成の履歴を示す履歴情報を記憶するようにしてあることを特徴とする。
【００２３】
本発明にあっては、画像データに対して複数回の送信又は形成の処理が実行された場合、最終回の処理の履歴を示す履歴情報が記憶される。
従って、処理対象の画像に最終回の処理の履歴を示す履歴情報を表して外部出力することができる。
【発明の効果】
【００２４】
本発明によれば、画像データに係る取得、送信又は形成の処理の履歴を示す履歴情報を残すことができ、処理対象の画像に履歴情報を表して外部出力することができる。
【００２５】
本発明によれば、画像データに係る取得、送信又は形成の処理内容を含む履歴情報を残すことができ、処理対象の画像に処理内容を含む履歴情報を表して外部出力することができる。
【００２６】
本発明によれば、必要に応じて処理対象の画像に履歴情報を表し又は履歴情報を隠して外部出力することができる。
【００２７】
本発明によれば、外部出力方法に応じて処理対象の画像に履歴情報を表し又は履歴情報を隠して外部出力することができる。
【００２８】
本発明によれば、画像データを複数回送信し又は画像を複数回形成した場合、各回の送信又は形成の履歴情報を残すことができ、処理対象の画像に各回の処理の履歴を表して外部出力することができる。
【００２９】
本発明によれば、画像データを複数回送信し又は画像を複数回形成した場合、最終回の送信又は形成の履歴情報を残すことができ、処理対象の画像に最終回の処理の履歴を示す履歴情報を表して外部出力することができる。
【発明を実施するための最良の形態】
【００３０】
以下、本発明をその実施の形態を示す図面に基づいて詳述する。
図１は、本発明の実施の形態に係る複合機１の構成を示すブロック図である。
複合機１は、原稿を読み取り、原稿の画像データを取得する読取部１３、取得した画像データを一時的に蓄積する画像メモリ１６、画像メモリ１６に蓄積された画像データを記憶する不揮発性の記憶装置２３、及び制御部１１を備えており、制御部１１は、バス２６を介して画像データの取得及び記憶を制御することで、スキャナ機能を実現するように構成されている。
【００３１】
バス２６には、ＲＯＭ１８及びＲＡＭ２０が接続されている。ＲＯＭ１８は、フラッシュメモリからなり、複合機１の動作に必要な各種制御プログラムを格納している。制御部１１は、例えば日時計時用のタイマーを備えたＭＰＵであり、ＲＯＭ１８に格納されている制御プログラムをＲＡＭ２０に読み出して実行することにより、複合機１のスキャナ機能、印刷機能、ファクシミリ機能等の各種機能を実現する。
【００３２】
読取部１３は、原稿に光を照射する光源、原稿で反射された反射光を電気信号に変換するラインＣＣＤ等の光学素子を備えており、ラインＣＣＤが変換した電気信号に基づいて原稿の画像データを取得する。そして、読取部１３は、取得した画像データを画像メモリ１６に与える。
【００３３】
記憶装置２３は、例えばハードディスクであり、読取部１３にて取得した画像データを記憶する。また、記憶装置２３は、後述のＬＡＮインタフェース２１を介してコンピュータ２から取得した画像データを記憶する。
【００３４】
また、複合機１は、画像データに基づいて画像をシート、例えば用紙に印刷するプリンタ部１５を備えており、制御部１１は記憶装置２３からの画像データの読み出し、プリンタ部１５の印刷を制御することで、印刷機能を実現させるように構成されている。
【００３５】
プリンタ部１５は、感光ドラム、定着器等を備える電子写真方式のプリンタ装置であって、印刷処理用のプログラムを格納した図示しないフラッシュＲＯＭを備えており、フラッシュＲＯＭに格納されたプログラムに従って、画像データに係る画像を用紙に印刷する。
【００３６】
また、バス２６にはＬＡＮインタフェース２１が接続されている。制御部１１は、ＬＡＮインタフェース２１を介して外部のコンピュータ２から画像データを取得し、取得した画像データを記憶装置２３に記憶させる。
【００３７】
更に、複合機１は、ファクシミリ通信により画像データを送受信するためのＮＣＵ（Network Control Unit）１２及びモデム１４、並びに送受信される画像データを所定の符号化方式、例えばＭＨ，ＭＲ，ＭＭＲ等の符号化方式に従って符号化及び復号化する符号化・復号化部２２を備えており、制御部１１は、画像データの送受信、原稿の読み取り、画像の印刷を制御することで、ファクシミリ機能を実現する。
【００３８】
ＮＣＵ１２は、公衆電話回線網（PSTN:Public Switched Telephone Network）との回線２７の閉結及び開放の動作を行うハードウェアであり、制御部１１の制御に応じてモデム１４と公衆電話回線網とを接続する。
【００３９】
モデム１４は、バス２６に接続されており、画像データをファクシミリ受信する場合、公衆電話回線網から入力されたアナログの画像データをデジタルの画像データに復調し、符号化・復号化部２２に与える。符号化・復号化部２２は、画像データを復号化して、画像メモリ１６に蓄積し、プリンタ部１５は画像メモリ１６に蓄積された画像データに基づいて、画像を印刷する。
【００４０】
画像データをファクシミリ送信する場合、符号化・復号化部２２は、読取部１３が読み取った画像データを符号化して、符号化した画像データをモデム１４に与える。モデム１４は、画像データをアナログの信号に変調し、公衆電話回線網へ出力する。
【００４１】
更にまた、複合機１は、バス２６に接続された履歴情報埋込部２４及び履歴情報解析部２５を備えている。
【００４２】
履歴情報埋込部２４は、画像データに係る処理、例えば画像データの取得、ファクシミリ送信、印刷等の処理を実行した場合、各処理の履歴を示す履歴情報を前記画像データに埋め込む処理を実行する。
例えば、画像データがページ記述言語にて記述されている場合、画像の描画に無関係なコメント文中に履歴情報を記述することで、履歴情報を埋め込む。また、画像データがビットマップイメージデータである場合、空間周波数成分における所定周波数成分に履歴情報を含ませるようにして、描画命令を埋め込むように構成しても良い。
【００４３】
履歴情報解析部２５は、画像データに埋め込まれている履歴情報を抽出し、抽出した履歴情報を画像データに係る画像に表す再現処理を実行する。
例えば、前記コメント文中から履歴情報を抽出し、抽出した履歴情報を描画命令に変換する。また、所定周波数成分に履歴情報が含まれている場合、ビットマップイメージデータを空間周波数成分のデータに変換して、所定周波数成分に含まれた履歴情報を抽出し、該履歴情報の画像を生成し、生成した画像をビットマップイメージデータの画像に合成する。
【００４４】
更にまた、複合機１は、バス２６に接続されており、複合機１を操作するための表示部１７及び操作部１９が接続されている。
【００４５】
表示部１７は、複合機１の動作状態、複合機１を操作するためのソフトキーを表示する液晶ディスプレイを備えている。
【００４６】
操作部１９は、表示部１７に対向配置された抵抗膜方式又は静電容量方式のタッチパネルを備え、表示部１７に表示されたソフトキーの操作を受け付け、制御部１１がタッチパネルの操作状態を検出することができるように構成されている。また、操作部１９は、「プリンタ」ボタン、「ファクシミリ」ボタン、「スキャナ」ボタン、「表示」ボタン等の機能ボタン、スタートキー、テンキー、リセットキー等を備えている。
【００４７】
図２乃至図４は、送信及び印刷に係る制御部１１の処理手順を示すフローチャートである。
実施の形態では、図１に示すように複合機１の記憶装置２３が記憶している画像データをファクシミリ送信し、又は画像データに係る画像を印刷する場合を説明する。記憶装置２３は、予め読取部１３にて取得した画像データ又はＬＡＮインタフェース２１を介して外部のコンピュータ２から取得した画像データを記憶している。
【００４８】
操作部１９にて送信又は印刷の開始を受け付けた場合、又はコンピュータ２から送信又は印刷の要求を受けた場合、制御部１１は、送信又は印刷における履歴情報の記憶の要否を受け付ける（ステップＳ１１）。例えば、制御部１１は、インタフェースを汎用ブラウザに表示させ、履歴情報の記憶の要否を受け付けるためのＨＴＴＰデータをコンピュータ２へ送信する。そして、コンピュータ２から送信されたデータを受信することで、履歴情報の記憶の要否を受け付ける。
そして、制御部１１は、同様にして履歴情報の表示の要否を受け付ける（ステップＳ１２）。
【００４９】
なお、ステップＳ１１及びステップＳ１２で受け付けた履歴情報の記憶の要否及び履歴情報の表示の要否を記憶装置２３に記憶し、次回からはステップＳ１１及びステップＳ１２の処理を実行しないように構成しても良い。つまり、ステップＳ１１の処理の前に履歴情報の記憶の要否及び表示の要否を記憶しているか否かを判定し、記憶していない場合、ステップＳ１１を実行し、記憶している場合、ステップＳ１３の処理を実行するように構成しても良い。
【００５０】
次いで、制御部１１は、画像データを記憶装置２３から取得する（ステップＳ１３）。そして、制御部１１は、履歴情報の記憶を要するか否かを判定する（ステップＳ１４）。
【００５１】
履歴情報の記憶が不要であると判定した場合（ステップＳ１４：ＮＯ）、制御部１１は、送信又は印刷の各処理で履歴情報の表示を要するか否かを判定する（ステップＳ１５）。
【００５２】
履歴情報の表示を要すると判定した場合（ステップＳ１５：ＹＥＳ）、制御部１１は、履歴情報解析部２５に履歴情報を抽出させ、履歴情報を処理対象の画像に表した画像データを生成する（ステップＳ１６）。例えば、ページ記述言語にて記述されている場合、履歴情報を示す文字を描画する描画命令を画像データに追加して、送信又は印刷用の画像データを生成する。履歴情報の表示が不要であると判定した場合（ステップＳ１５：ＮＯ）、制御部１１は、履歴情報を隠した画像データを生成する（ステップＳ１７）。
【００５３】
ステップＳ１６又はステップＳ１７の処理を終えた場合、制御部１１は、ステップＳ１６又はステップＳ１７で生成された画像データをファクシミリ通信にて送信し、又は画像データに係る画像を用紙に印刷し（ステップＳ１８）、送信及び印刷に係る処理を終える。
【００５４】
履歴情報の記憶を要すると判定した場合（ステップＳ１４：ＹＥＳ）、制御部１１は、送信又は印刷の各処理で履歴情報の表示を要するか否かを判定する（ステップＳ１９）。履歴情報の表示を要すると判定した場合（ステップＳ１９：ＹＥＳ）、制御部１１は、要求された送信又は印刷の処理内容の情報を収集する（ステップＳ２０）。例えば、送信及び印刷の別、送信先のファクシミリ番号等を収集する。そして、制御部１１は、履歴情報解析部２５に履歴情報を抽出させ、履歴情報を画像に表した画像データを生成する（ステップＳ２１）。
【００５５】
履歴情報の表示が不要であると判定した場合（ステップＳ１９：ＮＯ）、制御部１１は、要求された送信又は印刷の処理内容の情報を収集する（ステップＳ２２）。そして、制御部１１は、履歴情報を隠した画像データを生成する（ステップＳ２３）。
【００５６】
ステップＳ２１又はステップＳ２３の処理を終えた場合、制御部１１は、画像データをファクシミリ送信し、画像データに係る画像を用紙に印刷する（ステップＳ２４）。そして、制御部１１は、送信又は印刷の処理結果を収集し（ステップＳ２５）、処理実行日時を収集する（ステップＳ２６）。
【００５７】
次いで、制御部１１は、処理内容、処理結果及び処理実行日時を示す所定フォーマットの履歴情報に変換する（ステップＳ２７）。そして、制御部１１は、処理対象の画像データに係る履歴情報中に同じ処理内容の履歴があるか否かを判定する（ステップＳ２８）。
【００５８】
同じ処理内容の履歴がないと判定した場合（ステップＳ２８：ＮＯ）、制御部１１は、履歴情報埋込部２４によって処理対象の画像データに履歴情報を埋め込み、該履歴情報を記憶し（ステップＳ２９）、送信及び印刷に係る処理を終える。
【００５９】
同じ処理内容の履歴があると判定した場合（ステップＳ２８：ＹＥＳ）、制御部１１は、履歴情報の記憶方法を記憶しているか否かを判定する（ステップＳ３０）。履歴情報の記憶方法を記憶していないと判定した場合（ステップＳ３０：ＮＯ）、制御部１１は、履歴情報の記憶方法、該記憶方法の記憶を要するか否かを受け付ける（ステップＳ３１）。履歴情報の記憶方法には、例えば、各回の処理の履歴を追加的に記憶する方法と、処理の履歴を逐次更新して最終回の処理の履歴のみを記憶する方法とがある。
次いで、制御部１１は、記憶方法の記憶を要するか否かを判定する（ステップＳ３２）。履歴情報の記憶を要すると判定した場合（ステップＳ３２：ＹＥＳ）、制御部１１は、ステップＳ３１で受け付けた履歴情報の記憶方法を記憶装置２３に記憶する（ステップＳ３３）。
【００６０】
ステップＳ３０で履歴情報の記憶方法を記憶していると判定した場合（ステップＳ３０：ＹＥＳ）、履歴情報の記憶が不要であると判定した場合（ステップＳ３２：ＮＯ）、又はステップＳ３３の処理を終えた場合、制御部１１は、履歴情報を追加記憶するか否かを判定する（ステップＳ３４）。
【００６１】
追加記憶を要すると判定した場合（ステップＳ３４：ＹＥＳ）、制御部１１は、履歴情報を記憶装置２３に追加的に記憶し（ステップＳ３５）、送信及び印刷に係る処理を終える。
【００６２】
追加記憶が不要であると判定した場合（ステップＳ３４：ＮＯ）、制御部１１は、履歴情報をステップＳ２７で変換した履歴情報に置換するように記憶装置２３に記憶し（ステップＳ３６）、送信及び印刷に係る処理を終える。
【００６３】
図５は、原稿読取に係る制御部１１の処理手順を示すフローチャートである。
制御部１１は、履歴情報の記憶の要否を受け付ける（ステップＳ５１）。そして、制御部１１は、処理内容情報を収集する（ステップＳ５２）。
【００６４】
次いで、制御部１１は、原稿を読み取って、画像データを取得する（ステップＳ５３）。そして、制御部１１は、履歴情報の記憶を要するか否かを判定する（ステップＳ５４）。履歴情報の記憶を要すると判定した場合（ステップＳ５４：ＹＥＳ）、制御部１１は、処理結果を収集し（ステップＳ５５）、処理実行日時を収集する（ステップＳ５６）。
【００６５】
次いで、制御部１１は、処理内容、処理結果及び処理実行日時を示す所定フォーマットの履歴情報に変換する（ステップＳ５７）。そして、制御部１１は、取得した画像データと共に履歴情報を記憶装置２３に記憶し（ステップＳ５８）、原稿読取に係る処理を終える。
【００６６】
履歴情報の記憶が不要であると判定した場合（ステップＳ５４：ＮＯ）、制御部１１は、取得した画像データを記憶装置２３に記憶し（ステップＳ５９）、原稿読取に係る処理を終える。
【００６７】
図６は、画像表示に係る制御部１１の処理手順を示すフローチャートである。
制御部１１は、履歴情報の表示の要否を受け付ける（ステップＳ８１）。そして、制御部１１は、記憶装置２３から画像データを取得する（ステップＳ８２）。
【００６８】
次いで、制御部１１は、履歴情報の表示を要するか否かを判定する（ステップＳ８３）。履歴情報の表示を要すると判定した場合（ステップＳ８３：ＹＥＳ）、制御部１１は、履歴情報を抽出して、該履歴情報を画像に表した画像データを生成する（ステップＳ８４）。履歴情報の表示が不要であると判定した場合（ステップＳ８３：ＮＯ）、制御部１１は、履歴情報を隠した画像データを生成する（ステップＳ８５）。
【００６９】
ステップＳ８４又はステップＳ８５の処理を終えた場合、制御部１１は、生成した画像データに基づいて、画像を表示部１７に表示し（ステップＳ８６）、画像の表示に係る処理を終える。
なお、生成した画像データを外部のコンピュータ２へ送信し、外部のコンピュータに接続された表示装置に画像を表示するように構成しても良い。
【００７０】
実施の形態によれば、画像データに係る取得、送信及び印刷の各処理の履歴を示す履歴情報を残すことができ、適宜、処理対象の画像に履歴情報を表して外部出力、つまり画像データをファクシミリ送信し、画像データに係る画像を印刷し表示することができる。
【００７１】
また、必要に応じて履歴情報の表示の要否を選択して、処理対象の画像に履歴情報を表し又は履歴情報を隠して外部出力することができる。
【００７２】
図７は、外部出力された画像を示す模式図である。
図７（ａ）は、履歴情報の表示を要する場合にステップＳ１６、ステップＳ２１又はステップＳ８４の処理によって、履歴情報を表して外部出力された画像の模式図である。画像の下部には、２つの処理の履歴を有する履歴情報が表されている。一の履歴は、処理実行日時を示す「２００５．０９．０７  １１：１２」の文字と、処理内容、例えばファクシミリ送信の送信先を示す「○○○○  →０１２−○○○−×××」と、処理結果を示す「結果：ＯＫ」の文字で表されている。
同様に、一の履歴の下側には、他の履歴が「２００５．０９．０７  １２：１５」の文字と、「××××  →ｐｒｉｎｔ」の文字と、「結果：ＯＫ」の文字で
表されている。
図７（ｂ）は、履歴情報の表示が不要である場合にステップＳ１７、ステップＳ２３又はステップＳ８５の処理によって、履歴情報を隠して外部出力された画像の模式図である。画像の下側には、図７（ａ）に示すような目障りな履歴情報が表れず、オリジナルの画像を扱いたい場合に好適である。
【００７３】
更に、実施の形態によれば、各外部出力方法における履歴情報の表示の要否を受け付け、処理対象の画像に履歴情報を表し又は履歴情報を隠して外部出力することができる。
【００７４】
更にまた、履歴情報の追加記憶を受け付けた場合、過去に実行した各回の送信又は印刷の履歴を示す履歴情報を残すことができ、処理対象の画像に各回の処理の履歴を表して外部出力することができる。
【００７５】
更にまた、履歴情報の置換記憶を受け付けた場合、最終回の送信又は印刷の履歴を示す履歴情報を残すことができ、処理対象の画像に最終回の処理の履歴を示す履歴情報を表して外部出力することができる。
【００７６】
なお、実施の形態にあっては、履歴情報を画像データに埋め込むようにして記憶する構成であるが、画像データと履歴情報とを関連付けて記憶することができる構成であれば、他の関連づけ方法で履歴情報を記憶するように構成しても良い。
例えば、画像データ及び履歴情報を別のファイルとして記憶し、画像データ及び履歴情報を関連づけるテーブルを記憶するように構成しても良い。また、履歴情報中に処理対象の画像データを特定するための情報を含ませるように構成しても良い。
【００７７】
また、複合機が備える記憶装置に履歴情報を記憶するように構成しているが、ファイルサーバのような、外部の記憶装置、コンピュータ等に履歴情報を記憶させるように構成しても良い。
【００７８】
更に、記憶装置が記憶している画像データに対する処理の履歴を記憶する場合を説明したが、外部の記憶装置又はコンピュータが記憶している画像データ、例えば共有フォルダ内の画像データを取得し、該画像データに係る処理の履歴を示す履歴情報を記憶するように構成しても良い。
【図面の簡単な説明】
【００７９】
【図１】本発明の実施の形態に係る複合機の構成を示すブロック図である。
【図２】送信及び印刷に係る制御部の処理手順を示すフローチャートである。
【図３】送信及び印刷に係る制御部の処理手順を示すフローチャートである。
【図４】送信及び印刷に係る制御部の処理手順を示すフローチャートである。
【図５】原稿読取に係る制御部の処理手順を示すフローチャートである。
【図６】画像表示に係る制御部の処理手順を示すフローチャートである。
【図７】外部出力された画像を示す模式図である。
【符号の説明】
【００８０】
１  複合機
２  コンピュータ
１１  制御部
１２  ＮＣＵ
１３  読取部
１４  モデム
１５  プリンタ部
１６  画像メモリ
１７  表示部
１８  ＲＯＭ
１９  操作部
２０  ＲＡＭ
２１  ＬＡＮインタフェース
２２  符号化・復号化部
２３  記憶装置
２４  履歴情報埋込部
２５  履歴情報解析部
２６  バス
【図１】
2007306141.tif 000003
【図２】
2007306141.tif 000004
【図３】
2007306141.tif 000005
【図４】
2007306141.tif 000006
【図５】
2007306141.tif 000007
【図６】
2007306141.tif 000008
【図７】
2007306141.tif 000009